(57)【特許請求の範囲】
【請求項１】
被秤量物（２）を収納するホッパ（３）と、このホッパ（３）の排出部（３ａ）に連結されて、回転しながら前記被秤量物（２）を切り出す切り出し筒（４）と、この切り出し筒（４）を回転させる回転手段（５）と、前記切り出し筒（４）から排出された前記被秤量物（２）を受ける受け部材（６）と、この受け部材（６）が受けた具材としての被秤量物（２）を秤量する秤量器（７）と、この受け部材（６）の排出口（６ａ）に設けられた開閉蓋（６ｂ）と、この開閉蓋（６ｂ）を開閉動作させる開閉手段（６ｃ）と、前記切り出し筒（４）に設けられた外筒（４ａ）と、この外筒（４ａ）に着脱自在に外嵌され、外周面が前記外筒の内周面との摩擦によって共に連れて回転する内筒（４ｂ）と、前記内筒（４ｂ）のホッパ（３）側の端部に嵌着させると共に係止させ、前記内筒と同軸で共に回転する具材取込み用のインペラー装置（８）と、を備える切り出し秤量装置（１）において、
前記インペラー装置の前記ホッパ側に設けられ、前記インペラー装置の回転中心軸と直角に設けられたインペラー取付面（８ａ）に固定され、前記被秤量物を掻き混ぜる少なくとも１本の真っ直ぐな構造体（８ｂ）を立設させることを特徴とする切り出し秤量装置。
【請求項２】
前記インペラー取付面に固定され立設された少なくとも１本の前記真っ直ぐな構造体はコイル状ばねであり、前記コイル状ばねは、前記インペラー取付面から３０°〜６０°の角度を有して立ち上がるように形成されていることを特徴とする請求項１に記載の切り出し秤量装置。
【請求項３】
前記インペラー取付面に固定され立設された少なくとも１本の前記真っ直ぐな構造体は円柱棒材であり、前記円柱棒材は、前記インペラー取付面から３０°〜６０°の角度を有して立ち上がるように形成されていることを特徴とする請求項１に記載の切り出し秤量装置。
【請求項４】
被秤量物（２）を収納するホッパ（３）と、このホッパ（３）の排出部（３ａ）に連結されて、回転しながら前記被秤量物（２）を切り出す切り出し筒（４）と、この切り出し筒（４）を回転させる回転手段（５）と、前記切り出し筒（４）から排出された前記被秤量物（２）を受ける受け部材（６）と、この受け部材（６）が受けた具材としての被秤量物（２）を秤量する秤量器（７）と、この受け部材（６）の排出口（６ａ）に設けられた開閉蓋（６ｂ）と、この開閉蓋（６ｂ）を開閉動作させる開閉手段（６ｃ）と、前記切り出し筒（４）に設けられた外筒（４ａ）と、この外筒（４ａ）に着脱自在に外嵌され、外周面が前記外筒の内周面との摩擦によって共に連れて回転する内筒（４ｂ）と、を備える切り出し秤量装置（１）において、
前記内筒の内周に沿って摺動可能に内挿されて螺旋状に形成された掻き棒（１０）を備え、
前記掻き棒の少なくとも一方の端部は、前記内筒の外部に固定されていることを特徴とする切り出し秤量装置。
【請求項５】
被秤量物（２）を収納するホッパ（３）と、このホッパ（３）の排出部（３ａ）に連結されて、回転しながら前記被秤量物（２）を切り出す切り出し筒（４）と、この切り出し筒（４）を回転させる回転手段（５）と、前記切り出し筒（４）から排出された前記被秤量物（２）を受ける受け部材（６）と、この受け部材（６）が受けた具材としての被秤量物（２）を秤量する秤量器（７）と、この受け部材（６）の排出口（６ａ）に設けられた開閉蓋（６ｂ）と、この開閉蓋（６ｂ）を開閉動作させる開閉手段（６ｃ）と、前記切り出し筒（４）に設けられた外筒（４ａ）と、この外筒（４ａ）に着脱自在に外嵌され、外周面が前記外筒の内周面との摩擦によって共に連れて回転する内筒（４ｂ）と、を備える切り出し秤量装置（１）において、
前記内筒の内周に沿ってこの内周を自身のばね圧で押圧して嵌着され螺旋状に形成された計数用ガイドばね（１５）を備えることを特徴とする切り出し秤量装置。
【発明の詳細な説明】
【技術分野】
【０００１】
本発明は、秤量して投入する切り出し秤量装置に関し、特に、切り出し筒を構成する内筒のホッパ側の端部に、ホッパ内の具材としての被秤量物を掻き混ぜるインペラー装置と、内筒の内周に沿って内筒の内周に付着する可能性のある具材を掻き取るための掻き棒を備える切り出し秤量装置に関する。
【背景技術】
【０００２】
従来の切り出し秤量装置として、例えば、ラーメン、うどん、蕎麦、焼きそばなどのインスタント麺類の袋中に収納する海苔、胡麻、乾燥魚肉類、乾燥野菜類（以下、これらをかやくという）などを計量して小袋に袋詰めするものがある。
図８は、従来の切り出し秤量装置の概略を示す正面断面図である。
図８に示すように、切り出し秤量装置１１０は、被秤量物（かやく）１１１を収納するホッパ１１２と、このホッパ１１２の排出部１１２ａに連結されて、被秤量物１１１を切り出す、下方傾斜した適度な長さの切り出し筒１１３と、この切り出し筒１１３を回転させる回転手段（モータ回転機構）１１５と、この切り出し筒１１３から投下された被秤量物１１１を受ける受け部材１１６と、この受け部材１１６の排出口１１６ａに設けられた開閉蓋１１７と、この受け部材１１６が受けた被秤量物１１１を秤量する秤量器（ロードセル）１１８と、受け部材１１６に設けられた開閉蓋１１７を開閉する開閉手段（ソレノイド）１１９とを備えている。
なお、ここでいう被秤量物１１１とは、ホッパ１１２内から切り出し可能な粉粒体、片状体、および小塊状体などをいう。
【０００３】
この切り出し秤量装置１１０は、ホッパ１１２の排出部１１２ａと、切り出し筒１１３との間に、被秤量物１１１の切り出し調整可能な筒状のアタッチメント１４１を着脱可能に設けるように構成されている。このアタッチメント１４１は、内部流路の内径を異ならせて被秤量物１１１の切り出し調整をするものである。
このアタッチメント１４１には、ホッパ１１２側の端部に被秤量物１１１の切り出し突起が設けられ、また、ホッパ１１２側の排出部１１２ａに被秤量物１１１の切り出し螺旋体が設けられている。
これらによってホッパ１１２の排出部１１２ａから排出された被秤量物１１１は、回転手段１１５により回転している下方傾斜した切り出し筒１１３から連続的に切り出されて受け部材１１６内に投下され、秤量器１１８により秤量され、所定重量に達したときに切り出しを停止し、開閉手段１１９により受け部材１１６の開閉蓋１１６ａを開くことによって、秤量された被秤量物１１１を排出するので、正確な所定量の切り出しができて、被秤量物１１１の過剰または過少切り出しによるコスト高や不良品処置の手間などを解消できる。特に、回転する下方傾斜した適度な長さの切り出し筒１１３内を被秤量物１１１が徐々に流れるので、被秤量物１１１の均一化が行なわれ、切り出し筒１１３の下端から定量排出が行なわれる。また、切り出し量の調整は、切り出し筒１１３の回転速度及び／又は傾斜を変えることによって可能である。
【０００４】
また、ホッパ１１２の排出部１１２ａと、切り出し筒１１３との間に着脱可能なアタッチメント１４１を装着するので、ホッパ１１２内の被秤量物１１１を切り出し筒１１３内へ導入する際に、被秤量物１１１の大きさや形状などの品種に応じて切り出し調整を容易にすることができる。
さらに、ホッパ１１２の排出部１１２ａから排出された流動性の良い被秤量物（例えば胡麻）１１１は、アタッチメント１４１を通過する際に、その内径が異なる（有効通過断面積が異なる）内部流路を通過して流量調整されるので、粒径の小さな被秤量物１１１の流量調整が容易にできる。
そして、切り出し筒１１３と共にアタッチメント１４１が回転すると、その切り出し突起が、例えばホッパ１１２の排出部１１２ａ付近にある固まった被秤量物１１１を掻き崩すので、ホッパ１１２の排出部１１２ａ付近で被秤量物１１１が詰まり難い。
【０００５】
また、切り出し筒１１３と共にアタッチメント１４１が回転すると、その切り出し螺旋体が所定方向へ回転するが、切り出し螺旋体の曲がり方向と同一方向に回転する場合には、ホッパ１１２の排出部１１２ａ付近にある被秤量物１１１の切り出し筒１１３側への流入を促進し、また切り出し螺旋体の曲がり方向と反対方向に回転する場合には、ホッパ１１２の排出部１１２ａ付近の被秤量物１１１の切り出し筒１１３側への流入を抑制し、被秤量物１１１の品種に合わせて、その回転方向を正逆選択することにより、被秤量物１１１の切り出し調整の幅が広がる。このようにホッパ１１２内の被秤量物１１１を、軸芯ａが下方傾斜した切り出し筒１１３を回転手段１１５により回転させながら、徐々に受け部材１１６に投下し、それを秤量器１１８により秤量するようにしたので、正確な所定量の切り出しができて、被秤量物１１１の過剰または過少切り出しによるコスト高や不良品処置の手間などを解消できる。
特に、ホッパ１１２の排出部１１２ａに着脱可能に装着されたアタッチメント１４１により、ホッパ１１２内の被秤量物１１１を切り出し筒１１３内へ導入する切り出し調整が、被秤量物１１１の大きさや形状などの品種に応じて簡単にできる（特許文献１参照）。
【先行技術文献】
【特許文献】
【０００６】
【特許文献１】特許第２６４９３３５号
【発明の概要】
【発明が解決しようとする課題】
【０００７】
しかしながら、インスタント麺類用のかやく、フリーズドライ製品、特に、ワンタンや刻みのりなどの容易に破損する虞のある具材を取り扱う切り出し秤量装置において、形状の複雑な具材としての被秤量物を破損させることなく、また、大きな摩擦を有する粉粒体状の具材を小袋包装内に正確な所定量で充填するための切り出し流路を確保して、ホッパ内の具材をスムーズに取り込み、また、切り出し筒内に取り込まれた具材が内筒の内周にこびり付かないように、ホッパから切り出し筒内の具材の流動をスムーズにする構造がさらに求められていた。
本発明はこのような事情に鑑みてなされたものであり、インスタント麺類用のかやく、フリーズドライ製品、特に、ワンタンや刻みのりなどの容易に破損する虞のある形状の複雑な具材としての被秤量物を破損させることなく、また、大きな摩擦を有する粉粒体状の具材を小袋包装内に正確な所定量で充填するための切り出し流路を確保して、ホッパ内の具材をスムーズに取り込み、また、切り出し筒内に取り込まれた具材が内筒の内周にこびり付かないように、ホッパから切り出し筒内の具材の流動をスムーズにする構造を備えた切り出し秤量装置を提供することを課題とする。
【課題を解決するための手段】
【０００８】
請求項１に記載の切り出し秤量装置１は、被秤量物２を収納するホッパ３と、このホッパ３の排出部３ａに連結されて、回転しながら前記被秤量物２を切り出す切り出し筒４と、この切り出し筒４を回転させる回転手段５と、前記切り出し筒４から排出された前記被秤量物２を受ける受け部材６と、この受け部材６が受けた具材としての被秤量物２を秤量する秤量器７と、この受け部材６の排出口６ａに設けられた開閉蓋６ｂと、この開閉蓋６ｂを開閉動作させる開閉手段６ｃと、前記切り出し筒４に設けられた外筒４ａと、この外筒４ａに着脱自在に外嵌され、外周面が前記外筒の内周面との摩擦によって共に連れて回転する内筒４ｂと、前記内筒４ｂのホッパ３側の端部に嵌着させ、前記内筒と同軸で共に回転する具材取込み用のインペラー装置８とを備える切り出し秤量装置１において、前記インペラー装置の前記ホッパ側に設けられ、前記インペラー装置の回転中心軸と直角に設けられたインペラー取付面８ａに固定され、前記被秤量物を掻き混ぜる少なくとも１本の真っ直ぐな構造体８ｂを立設させることを特徴とする。
【０００９】
請求項２に記載の発明は、請求項１に記載の切り出し秤量装置１であって、前記インペラー取付面に固定され立設された少なくとも１本の前記真っ直ぐな構造体はコイル状ばねであり、前記コイル状ばねは、前記インペラー取付面から３０°〜６０°の角度を有して立ち上がるように形成されていることを特徴とする。
【００１０】
請求項３に記載の発明は、請求項１に記載の切り出し秤量装置であって、前記インペラー取付面に固定され立設された少なくとも１本の前記真っ直ぐな構造体は円柱棒材であり、前記円柱棒材は、前記インペラー取付面から３０°〜６０°の角度を有して立ち上がるように形成されていることを特徴とする。
【００１１】
請求項４に記載の切り出し秤量装置１は、被秤量物２を収納するホッパ３と、このホッパ３の排出部３ａに連結されて、回転しながら前記被秤量物２を切り出す切り出し筒４と、この切り出し筒４を回転させる回転手段５と、前記切り出し筒４から排出された前記被秤量物２を受ける受け部材６と、この受け部材６が受けた具材としての被秤量物２を秤量する秤量器７と、この受け部材６の排出口６ａに設けられた開閉蓋６ｂと、この開閉蓋６ｂを開閉動作させる開閉手段６ｃと、前記切り出し筒４に設けられた外筒４ａと、この外筒４ａに着脱自在に外嵌され、外周面が前記外筒の内周面との摩擦によって共に連れて回転する内筒４ｂと、を備える切り出し秤量装置１において、前記内筒の内周に沿って摺動可能に内挿されて螺旋状に形成された掻き棒１０を備え、前記掻き棒の少なくとも一方の端部は、前記内筒の外部に固定されていることを特徴とする。
【００１２】
請求項５に記載の切り出し秤量装置１は、被秤量物２を収納するホッパ３と、このホッパ３の排出部３ａに連結されて、回転しながら前記被秤量物２を切り出す切り出し筒４と、この切り出し筒４を回転させる回転手段５と、前記切り出し筒４から排出された前記被秤量物２を受ける受け部材６と、この受け部材６が受けた具材としての被秤量物２を秤量する秤量器７と、この受け部材６の排出口６ａに設けられた開閉蓋６ｂと、この開閉蓋６ｂを開閉動作させる開閉手段６ｃと、前記切り出し筒４に設けられた外筒４ａと、この外筒４ａに着脱自在に外嵌され、外周面が前記外筒の内周面との摩擦によって共に連れて回転する内筒４ｂと、を備える切り出し秤量装置１において、前記内筒の内周に沿ってこの内周を自身のばね圧で押圧して嵌着され、螺旋状に形成された計数用ガイドばね１５を備えることを特徴とする。
【発明の効果】
【００１３】
請求項１に係る発明によれば、ホッパと、切り出し筒と、回転手段と、受け部材と、秤量器と、開閉蓋と、開閉手段と、外筒と、内筒と、インペラー装置とを備えた切り出し秤量装置において、被秤量物を掻き混ぜる少なくとも１本の真っ直ぐな構造体が、インペラー装置のホッパ側でインペラー装置の回転中心軸と直角に設けられたインペラー取付面に固定されることによって、ワンタンや刻みのりなどの容易に破損する虞のある具材などの形状の複雑な具材としての被秤量物や、大きな摩擦を有する粉粒体状の具材を小袋包装内に破損させることなく正確な所定量で充填するための切り出し流路を確保して、ホッパ内の具材をスムーズに取り込み、また、切り出し筒内に取り込まれた具材が内筒の内周にこびり付かないように、粉粒体状の具材をスムーズに取り出して切り出し筒内に取り込む切り出し秤量装置を提供することができる。
【００１４】
請求項２に係る発明によれば、インペラー取付面に固定して立設された少なくとも１本の真っ直ぐな構造体をコイル状ばねとし、このコイル状ばねをインペラー取付面に対して３０°〜６０°の角度を有して立ち上がるように形成されることによって、ワンタンや刻みのりなどの容易に破損する虞のある形状の複雑な具材としての被秤量物を小袋包装内に破損させることなく正確な所定量で充填するための切り出し流路を確保して、ホッパ内の具材をスムーズに取り込む切り出し秤量装置を提供することができる。
【００１５】
請求項３に係る発明によれば、インペラー取付面に立設して固定された少なくとも１本の真っ直ぐな構造体を円柱棒材とし、この円柱棒材をインペラー取付面に対して３０°〜６０°の角度を有して立ち上がるように形成することによって、ワンタンや刻みのりなどの容易に破損する虞のある形状の複雑な具材としての被秤量物を小袋包装内に破損させることなく正確な所定量で充填するための切り出し流路を確保して、ホッパ内の具材をスムーズに取り込む切り出し秤量装置を提供することができる。
【００１６】
請求項４に係る発明によれば、螺旋状に形成した掻き棒を内筒の内周に沿って摺動可能に内挿すると共に、この掻き棒の少なくとも一方の端部を内筒の外部に固定することによって、内筒が回転しても掻き棒は外部に固定されているため、切り出し筒内に取り込まれた具材が内筒の内周にこびり付くことなくスムーズに流動させることができる。
【００１７】
請求項５に係る発明によれば、内筒の内周に沿ってこの内周を自身のばね圧で押圧して嵌着され螺旋状に形成された計数用ガイドばねを備えることによって、内筒の回転と共に計数用ガイドばねが回転して錠剤などの粒体を正確に個別送りして計数を容易にすることができる。
【００１８】
このように、インスタント麺類用のかやく、フリーズドライ製品、特に、ワンタンや刻みのりなどの容易に破損する虞のある形状の複雑な具材としての被秤量物を破損させることなく、また、大きな摩擦を有する粉粒体状の具材を小袋包装内に正確な所定量で充填するための切り出し流路を確保して、ホッパ内の具材をスムーズに取り込み、この切り出し筒内に取り込まれた具材が内筒の内周にこびり付かないように、粉粒体状の具材をスムーズに取り出して切り出し筒内に取り込む切り出し秤量装置を提供することができる。
これは、長年、この関連の装置を製作してきた中での不具合を改良したもので、最適な構造を備えたものであり、このインペラー装置や掻き棒を備えることによって最適な性能を発揮することができる。
【発明を実施するための形態】
【００１９】
＜第１の実施形態＞
以下、本発明の第１の実施形態に係る切り出し秤量装置におけるインペラー装置と掻き棒を図面を参照しながら詳細に説明する。
図１は、本発明の第１の実施形態を説明するための切り出し秤量装置の概略であり、（ａ）は斜視図、（ｂ）は（ａ）におけるＡ―Ａ線の断面図である。
図１の（ａ）に示すように、切り出し秤量装置１は、
インスタント麺類用のかやく、フリーズドライ製品、特に、ワンタンや刻みのりなどの容易に破損する虞のある形状の複雑な具材としての被秤量物を破損させることなく、また、大きな摩擦を有する粉粒体状の具材を小袋包装内に正確な所定量で充填するための切り出し流路を確保して、ホッパ内の具材をスムーズに取り込み、また、切り出し筒内に取り込まれた具材が内筒の内周にこびり付かないように、粉粒体状の具材をスムーズに取り出して切り出し筒内に取り込む切り出し秤量装置である
この切り出し秤量装置１は、被秤量物２を収納するホッパ３と、このホッパ３の下方に設けられた排出部３ａに連結されて、回転しながら被秤量物２を切り出す少なくとも１列に設けられた切り出し筒４と、本実施形態では６列の切り出し筒を備えた例で説明しているが、この切り出し筒４を回転させるモータなどの回転手段５と、切り出し筒４の端部に近接して設けられ、この切り出し筒４から排出された被秤量物２を受け取る略二等辺三角形の箱体である受け部材６と、この受け部材６が受けた被秤量物２を秤量するロードセルを備えた秤量器７と、この受け部材６の排出口６ａに設けられた開閉蓋６ｂと、この開閉蓋６ｂを開閉動作させるソレノイドまたはモータなどからなる開閉手段６ｃと、切り出し筒４に設けられた外筒４ａと、この外筒４ａに着脱自在に外嵌され、外周面が外筒４ａの内周面との摩擦によって共に連れて回転する内筒４ｂと、この内筒４ｂのホッパ３側の端部に嵌着させ、内筒４ｂと同軸で共に回転する具材取込み用のインペラー装置８と、開閉蓋６ｂが開放されることで秤量された被秤量物２が投入されるシュート１１とを備えている。また、切り出し筒４は基板３１上にブラケット２８、２９、３０、および軸受２９ａなどで支持されている。この切り出し筒４は通常下方傾斜して設けられているが、本実施形態では基板３１上に、ボルト１２ａ、ナット１２ｂ、ハンドル１２ｃなどから構成された角度調節手段１２によって傾斜角度は微調整が可能であり、ホッパ３も基板３１上に設けられているため切り出し筒４と共に傾斜するが、ホッパ３と切り出し筒４の基板を分割して独立して傾斜するように設けても構わない。また、切り出し筒であるパイプ４の回転方向は、適宜設定可能であるが、本実施形態では隣接するパイプ４は互いに逆方向へ回転するように設けている。なお、受け部材６を略二等辺三角形の箱体としたがこれに限定するものではなく、その他の形状でも構わない。
【００２０】
図１の（ｂ）に示すように、インペラー装置８のホッパ３側には、インペラー取付面８ａがインペラー装置８の回転軸ｂと直角に設けられている。そして、被秤量物２を掻き混ぜる少なくとも１本の真っ直ぐな構造体８ｂがこのインペラー取付面８ａに対して、ある角度を有して固定されている。ある角度は３０〜６０°の仰角であり、インペラー取付角度と称す。
また、パイプ４の内周には内筒４ｂの内周に沿って摺動可能に内挿されて螺旋状に形成された掻き棒１０が設けられている。この掻き棒１０の端部は内筒４ｂの外部の係止ナット９に固定されている。この係止ナット９はホッパ３に溶接などで固定されている。
また、受け部材６は、ロードセルを備えた秤量器７で下方から支持されている。
また、パイプ４において、モータ５のローター軸５ａに設けられた減速機１６を構成する第１の歯車１６ａ（平歯車）からの駆動力が、外筒４ａの外周に設けられた第２の歯車１６ｂ（平歯車）に咬合して伝達されて、外筒４ａが回転することによって内筒４ｂが外筒４ａの回転に連れて共に回転する。
【００２１】
このように、内筒４ｂの回転と共にインペラー装置８が回転して、そのインペラー取付面８ａに固定された少なくとも１本の真っ直ぐな構造体８ｂがホッパ内３を掻き混ぜ、この掻き混ぜられた被秤量物２がホッパ３の下方の排出部３ａから切り出し筒４へ排出される。次に、半径一定で螺旋状に形成された掻き棒１０を内筒４ｂの内周に沿って摺動可能に内挿すると共に、この掻き棒１０の少なくとも一方の端部をホッパ３などに固定することによって、内筒４ｂが回転しても掻き棒１０はホッパ３に固定されているため、ホッパ３内から粉粒体状の具材２をスムーズに取り出して切り出し筒内４に取り込むと共に、切り出し筒４内に取り込まれた具材２が内筒４ｂの内周にこびり付かずにスムーズに流動させることができる。
さらに、被秤量物２は下流方向のパイプ４へ移動して、このパイプ４から切り出された被秤量物２はパイプ４の下流方向の受け部材６へ移動する。そして、この受け部材６には下流方向に開閉蓋６ａが設けられている。この受け部材６はロードセルを備えた秤量器７で支持されており、受け部材６に所定量が切り分けられる。受け部材６に投入された量が所定量に達したときに開閉蓋６ａが開放されて、所定の設定値に達した被秤量物２はさらに下流方向のシュート１１へ移動する。なお、下流方向とは、ホッパ３から切り出し筒４を経て受け部材６方向へと被秤量物２が移動する方向を示している。
【００２２】
このように、ホッパ３と、切り出し筒４と、回転手段５と、受け部材６と、秤量器７と、開閉蓋６ｂと、開閉手段６ｃと、外筒４ａと、内筒４ｂと、インペラー装置８とを備えた切り出し秤量装置１において、被秤量物２を掻き混ぜる少なくとも１本の真っ直ぐな構造体８ｂが、インペラー装置８のホッパ３側でインペラー装置８の回転軸ｂと直角に設けられたインペラー取付面８ａに固定されることによって、内筒４ｂの回転と共にインペラー装置８が回転して、そのインペラー取付面８ａに固定された少なくとも１本の真っ直ぐな構造体８ｂがホッパ３内を掻き混ぜてホッパ３内から粉粒体状の具材２をスムーズに取り出して切り出し筒４内に取り込む切り出し秤量装置１を提供することができる。
また、インペラー取付面に立設して固定された少なくとも１本の真っ直ぐな構造体をコイル状ばねとし、このコイル状ばねをインペラー取付面に対して３０°〜６０°の角度を有して立ち上がるように形成されることによって、内筒の回転と共にインペラー装置が回転して、そのインペラー取付面に固定された少なくとも１本の真っ直ぐな構造体がホッパ内を掻き混ぜてホッパ内から粉粒体状の具材や、インスタント麺類用のかやく、フリーズドライ製品、特に、ワンタンや刻みのりなどの容易に破損する虞のある具材を、破損させることなく、また、大きな摩擦を有する粉粒体状の具材を小袋包装内に正確な所定量で充填するための切り出し流路を確保して、ホッパ内の具材をスムーズに取り込み、切り出し筒内に取り込まれた具材が内筒の内周にこびり付かないようにすることができる。
【００２３】
図２は、本発明の第１の実施形態に係る切り出し筒に設けられたインペラー装置および掻き棒を示す概略図であり、（ａ）はインペラー装置と掻き棒の構成を示す正面断面図、（ｂ）はコイル状ばねを備えたインペラー装置の斜視図、（ｃ）は掻き棒の正面図、そして（ｄ）は円柱棒材を備えたインペラー装置の斜視図である。
図２の（ａ）に示すように、パイプである切り出し筒４の一端にインペラー装置８がセットされ、切り出し筒４の内面に螺旋状に形成された掻き棒１０が内筒４ｂの内周に沿って隙間を有して摺動可能に内挿されている。この隙間は内周に触れるか触れないかの位置で構わない。
インペラー装置８には、コイル状ばね８ｂがホッパ３の内部に伸びるように設けられている。また、掻き棒１０の一端は係止ナット９のねじピッチに合致するように巻かれており、この係止ナット９はホッパ３に溶接などで固定されている。
図２の（ｂ）に斜視図で描画されたように、インペラー取付面８ａには２本のコイル状ばね８ｂがほぼ対象に設けられている。また、このインペラー取付面８ａはアルミニウムなどの金属で形成されている。この材質は金属に限るものではない。そして、インペラー装置８において、インペラー取付面８ａの後面側にはジュラコンなどの樹脂で形成された円筒が接着などで一体的に設けられており、その外周には螺旋状溝８ｆが形成されている。これは、切り出し筒４の回転方向によって螺旋方向が異なっており、螺旋状溝８ｆによって、隙間に被秤量物が侵入し難いように、そして自動的に排出するようにしている。コイル状ばね８ｂは真っ直ぐな構造体であり、本実施形態では２本を設けた例で説明したが、１本でも３本で適宜変更しても構わない。
【００２４】
図２の（ｃ）に示すように、一定の半径を有するスプリングでもある掻き棒１０は、掻き棒の先端１０ａが切り出し筒４の排出側に来るように配置され、掻き棒の後端１０ｂがホッパ３側の係止ナット９に螺着されるようになっている。
図２の（ｄ）に示すように、インペラー装置８´のインペラー取付面８ａには２本の円柱棒材８ｂ´が２個ほぼ対象に設けられている。この円柱棒材８ｂ´は真っ直ぐな構造体であり、本実施形態では２本を設けた例で説明したが、１本でも３本でもそれ以上であっても適宜変更して構わない。
この円柱棒材８ｂ´は、インペラー取付面８ａから３０°〜６０°の角度を有して立ち上がるように形成されている。
なお、真っ直ぐな構造体であるコイル状ばね８ｂと円柱棒材８ｂ´の違いによって、被秤量物２の形状や粘土によって適宜使い分けるようにすれば良い。
このように、インペラー取付面８ａに立設して固定された少なくとも１本の真っ直ぐな構造体８ｂ、８ｂ´をコイル状ばねまたは円柱棒材とし、このコイル状ばね８ｂ、または円柱棒材８ｂ´をインペラー取付面８ａに対して３０°〜６０°の角度を有して立ち上がるように形成することによって、内筒４ｂの回転と共にインペラー装置８が回転して、そのインペラー取付面８ａに固定された少なくとも１本の真っ直ぐな構造体８ｂ、８ｂ´がホッパ３内を掻き混ぜてホッパ３内から粉粒体状の具材２をスムーズに取り出して切り出し筒４内に取り込むことができる。
【００２５】
図３は、本発明の第１の実施形態に係るインペラー装置の詳細を示し、（ａ）は図２の（ｂ）に示すＣ矢視図、（ｂ）は図２の（ｂ）に示すＤ矢視図、（ｃ）はコイル状ばねを固定する構造を示す断面図、および（ｄ）はコイル状ばねを例えば一本備えた例を示すインペラー装置の斜視図である。
図３の（ａ）（ｂ）に示すように、２個のコイル状ばね８ｂ、８ｂはインペラー取付面８ａに対して３０〜６０°の角度を有するように設けられている。また、インペラー取付面８ａの周囲には土手８ｃが設けられている。この土手８ｃはインペラー装置８の回転を安定的に支持するためのものである。
図３の（ｃ）に示すように、コイル状ばね８ｂはインペラー取付面８ａに固定用芯８ｄが溶接などにより固定され、その外形に嵌るようにコイル状ばね８ｂが溶接８ｅされている。
図３の（ｄ）に示すように、１本のコイル状ばね８ｂが設けられている様子を示している。被秤量物２の形状や粘土によって本数は適宜選択可能である。
【００２６】
図４は、本発明の第１の実施形態に係る切り出し筒の内筒および外筒の関係を説明する概略図であり、（ａ）は斜視図、（ｂ）は内筒を外筒に装着途中の様子を示す正面断面図、（ｃ）は内筒を外筒に装着完了した様子を示す正面断面図、（ｄ）は内筒の外径と外筒の内径の寸法関係を示す説明図である。
図４の（ａ）に示すように、パイプ４は、回転軸ｂを中心に回転し、外筒４ａと内筒４ｂとを備えている。この内筒４ｂの一端にはフランジ４ｂａが設けられている。そしてフランジ４ｂａ側はホッパ３側であり、ここにインペラー装置８が取り付けられる。
図４の（ｂ）（ｃ）に示すように、内筒４ｂを矢印Ｆ方向へ向かって外筒４ａに挿入して、外筒４ａの端部４ａｄにフランジ４ｂａを当接させて位置決めさせる。
図４の（ｄ）に示すように、外筒４ａの内径Ａは、内筒４ｂの外径Ｂよりも大きく、例えば、内径ＡはφＤ＋０．１５ｍｍ、外径ＢはφＤ−０．１５ｍｍ程度とする。
なお、外筒４ａの内径Ａと内筒４ｂの外径Ｂとのクリアランスは０．１〜０．５ｍｍ程度で構わない。
【００２７】
図５は、本発明の第１の実施形態に係る切り出し筒の詳細を示し、（ａ）は掻き棒によって具材が均された様子を示す図２の（ａ）に示すＢ矢視図、（ｂ）は掻き棒を装着せずに具材が内筒の内周にこびり付いた状態を示すＢ矢視図である。
図５の（ａ）に示すように、内筒４ｂの内周４ｂｂに沿って摺動可能に内挿されて螺旋状に形成された掻き棒１０の少なくとも一方の端部は、内筒４ｂの外部に固定されている。また、掻き棒の先端１０ａは切り出し筒４の端部に一致する位置に配置されている。
図５の（ｂ）に示すように、被秤量物である原料２が内筒４ｂの内周４ｂｂにこびり付いている。
【００２８】
次に、本発明の第１の実施形態に係る切り出し秤量装置１の動作を説明する。
図１〜図５に示すように、ホッパ３側の排出部３ａへ送り込まれたかやく（被秤量物、材料、原料、および具材などとも称す）２は、この排出部３ａから切り出し筒４へ移送される。切り出し筒４は、約５°下方傾斜して、モータなどの回転手段５により周方向に０〜１．５ｒｐｓの一定速度または段階的に変化する速度で、ほとんど振動なく回転させており、かやく２は、この切り出し筒４を通過中に均されて、連続的に一定量ずつ受け部材６内へ投下される。切り出し筒４の回転方向は、６本とも同一方向でも良いが、隣接する切り出し筒４、４…は互いに反転するように設定した。これは被秤量物２が切り出し筒４へ投入される際に排出部３ａに突出したインペラー装置８で均されて精度が上がるようにするためである。かき棒１０は切り出し筒４の内面４ｂｂに付着したかやくなど被秤量物２があればそれをかき取ることができる。受け部材６は、ロードセルを備えた秤量器７上に当接して載置および支持されており、予め設定された所定量だけ受け部材６内にかやく２が溜まったときに、それをロードセルを備えた秤量器７が検出し、制御装置（図略）により、切り出し筒４から受け部材６へのかやく２の投下を止めて、ソレノイド６ｃによって開閉蓋６ｂが開蓋される。これにより、計量済みのかやく２は、受け部材６の排出口６ａから、シュート１１を介して、袋詰め装置（図略）に送られる。次いで、受け部材６の開閉蓋６ｂを閉め、以下、これまでの秤量操作を繰り返す。
これによれば、螺旋状に形成した掻き棒１０を内筒４ｂの内周４ｂｂに沿って摺動可能に内挿すると共に、この掻き棒１０の少なくとも一方の端部を内筒４ｂの外部に固定することによって、内筒４ｂが回転しても掻き棒１０は外部に固定されているため一定の位置を維持している。そして、内筒４ｂの回転と共にインペラー装置８が回転して、そのインペラー取付面８ａに固定された少なくとも１本の真っ直ぐな構造体８ｂ、８ｂ´がホッパ３内を掻き混ぜてホッパ３内から粉粒体状の具材２をスムーズに取り出して切り出し筒４内に取り込むと共に、切り出し筒４内に取り込まれた具材２が内筒４ｂの内周４ｂｂにこびり付かずスムーズに流動させることができる。
【００２９】
＜第２の実施携帯＞
図６は、本発明の第２の実施形態に係る切り出し秤量装置の詳細を示し、（ａ）は正面図、（ｂ）は切り出し筒を示す部分拡大断面図、（ｃ）は計数用ガイドばねを示す拡大図である。
第２の実施形態が第１の実施形態と異なる点は、第１の実施形態における被秤量物２がインスタント麺類用のかやく、フリーズドライ製品、および刻みのりなどの粉粒体状であったものが、第２の実施形態における被秤量物２´は、ほぼ同一の形状を有する粒体状のものであり個々に計数することができる点である。このため、第１の実施形態で用いた掻き棒１０の代わりに粒体状の原料を個々に計数することができるように計数用ガイドばね１５を用いている。そして、この計数用ガイドばね１５は内筒と共に回転する。
尚、図６において、図１〜図５と同様の構成については同符合を付し、その説明を省略する。
図６の（ａ）に示すように、螺旋状に形成された計数用ガイドばね１５内を粒体状の原料２´が螺旋状に形成されたばね１５に沿って個別に送り出されている。
また、図６の（ｂ）に示すように、螺旋状に形成された計数用ガイドばね１５は、内筒４ｂの内周４ｂｂに沿って、この内周４ｂｂを計数用ガイドばね１５自身のばね圧で内周４ｂｂ方向に押圧して内筒４ｂ内に嵌着されている。
次に、図６の（ｃ）に示すように、計数用ガイドばね１５の形状は一定の径を有するコイル状ばねである。
このように、内筒４ｂの内周４ｂｂに沿ってこの内周４ｂｂを自身のばね圧で押圧して嵌着され、螺旋状に形成された計数用ガイドばね１５を備えることによって、内筒４ｂの回転と共に計数用ガイドばね１５が回転して錠剤などの粒体が螺旋に沿って正確に個別送りして計数を容易にすることができる。
【００３０】
図７は、本発明の第２の実施形態に係る切り出し筒の動作を示し、（ａ）は内筒に計数用ガイドばねが装着されて内筒と計数用ガイドばねがしっかりと固定されて共に回転する様子を示す図６の（ａ）に示すＥ矢視図、（ｂ）は材料が図中矢印方向へ個々に送り出されて行く様子を示す図６の（ａ）に示す部分拡大断面図である。
図７の（ａ）（ｂ）に示すように、切り出し秤量装置１´では、内筒４ｂの内周４ｂｂに沿ってこの内周４ｂｂを自身のばね圧で押圧して嵌着され螺旋状に形成された計数用ガイドばね１５を備える。
この計数用ガイドばね１５の先端１５ａを内筒４ｂの排出側の一端に一致するように配置して、計数用ガイドばね１５の後端１５ｂをインペラー装置８に近接する位置に配置している。螺旋状のコイルばねの巻き方向によって、粒体状の原料２が切り出し筒４の排出側へ移動できる方向を正転方向としている。また、切り出し筒４の回転を逆転方向へする場合は、コイルばねの巻き方向を変更することによって個別送りすることができる。適宜、変更しても構わない。
【００３１】
このように、内筒４ｂの内周４ｂｂに沿ってこの内周４ｂｂを自身のばね圧で押圧して嵌着され螺旋状に形成された計数用ガイドばね１５を備えることによって、内筒４ｂの内周４ｂｂと計数用ガイドばね１５に囲まれて形成される溝に沿って原料２２を移動させることができ、錠剤などの粒体を正確に個別送りして計数を容易にすることができる。
そしてホッパ３の排出部３ａから排出された被秤量物２２は、回転手段５により回転している切り出し筒４から連続的に切り出されて受け部材６内に投下され、ロードセルを備えた秤量器７により秤量される。受け部材６の被計量物２２が所定重量に達したら、電動の開閉手段６ｃにより受け部材６の開閉蓋６ｂが開かれて、秤量された被秤量物２２を受け部材６から排出するので、正確な所定量の切り出しができて、被秤量物２２の過剰または過少切り出しによるコスト高や不良品処置の手間などを解消できる。特に、回転駆動される切り出し筒４内を被秤量物２２が徐々に流れるので、被秤量物２２の個別送りが図られ、切り出し筒４の下端から一定に排出が行なわれる。また、切り出し量の調整は、切り出し筒４の回転速度を変えることによって可能である。
【００３２】
以上、好ましい実施の形態を説明したが、本発明は前記実施の形態に限定されるものではなく、本発明の要旨を逸脱することの無い範囲内において適宜変更が可能なものである。例えば、ホッパの形状や切り出し筒の形状など、実施形態のものに限定されるものではない。また、被秤量物としてホッパ内から切り出し可能な粉粒体、片状体、小塊状体などのかやく、およびワンタンや刻みのりなどを採用したが、これに限定するものではなく、品種も限定されない。さらに、また、実施形態では、秤量器の機能としてロードセルを採用したが、これに限定するものではなく、その他どのような秤量器でも構わない。また、コイル状ばねは、断面を丸断面としたが、角断面、または、△断面でも構わない。そして、受け部材や開閉蓋の形状や開閉手段の構造などは、実施形態のものに限定するものではなく、その用途や取り扱う被秤量物に応じて、適宜選択可能である。
【図面の簡単な説明】
【００３３】
【図１】本発明の第１の実施形態を説明するための切り出し秤量装置の概略であり、（ａ）は斜視図、（ｂ）Ａ―Ａ線の断面図である。
【図２】本発明の第１の実施形態に係る切り出し筒に設けられたインペラー装置および掻き棒を示す概略図であり、（ａ）はインペラー装置と掻き棒の構成を示す正面断面図、（ｂ）はコイル状ばねを備えたインペラー装置の斜視図、（ｃ）は掻き棒の正面図、そして（ｄ）は円柱棒材を備えたインペラー装置の斜視図である。
【図３】本発明の第１の実施形態に係るインペラー装置の詳細を示し、（ａ）は図２の（ｂ）に示すＣ矢視図、（ｂ）は図２の（ｂ）に示すＤ矢視図、（ｃ）はコイル状ばねを固定する様子を示す断面図、および（ｄ）はコイル状ばねを一本備えた例を示すインペラー装置の斜視図である。
【図４】本発明の第１の実施形態に係る切り出し筒の内筒および外筒の関係を説明する概略図であり、（ａ）は斜視図、（ｂ）は内筒を外筒に装着途中の様子を示す正面断面図、（ｃ）は内筒を外筒に装着完了した様子を示す正面断面図、（ｄ）は内筒の外形と外筒の内径の寸法関係を示す説明図である。
【図５】本発明の第１の実施形態に係る切り出し筒の詳細を示し、（ａ）は掻き棒によって具材が均された様子を示す図２の（ａ）に示すＢ矢視図、（ｂ）は掻き棒を装着せずに具材が内筒の内周にこびり付いた状態を示すＢ矢視図である。
【図６】本発明の第２の実施形態に係る切り出し秤量装置の詳細を示し、（ａ）は正面図、（ｂ）は切り出し筒を示す部分拡大断面図、（ｃ）は計数用ガイドばねを示す拡大図である。
【図７】本発明の第２の実施形態に係る切り出し筒の動作を示し、（ａ）は内筒に計数用ガイドばねが装着され、内筒と計数用ガイドばねがしっかりと固定されて共に回転する様子を示す図６の（ａ）に示すＥ矢視図、（ｂ）は材料が図中矢印方向へ個々に送り出されて行く様子を示す図６の（ａ）に示す部分拡大断面図である。
【図８】従来の実施形態を示す切り出し秤量装置の側面図である。
【産業上の利用可能性】
【００３４】
原料がパイプ内に詰まることなく、スムーズな切り出しを可能とし、インスタント麺類用のかやく、フリーズドライ製品、特に、ワンタンや刻みのりなどの容易に破損する虞のある具材を破損させることなく、また、大きな摩擦を有する粉粒体状の具材を小袋包装内に正確な所定量で充填するための切り出し流路を確保して、ホッパ内の具材をスムーズに取り込み、切り出し筒内に取り込まれた具材が内筒の内周にこびり付かず、切り出し筒の内筒と外筒を着脱可能に嵌挿することによって、内筒が簡単に取り外され、かやく類などの具材が切り出される内面の洗浄を容易にして衛生的な切り出し秤量装置に適用される。
【符号の説明】
【００３５】
１  切り出し秤量装置
２、２２  被秤量物、原料、材料、具材、かやく、粉粒体
３  ホッパ
３ａ  排出部
４  切り出し筒、パイプ
４ａ  外筒
４ａａ  軸受（ホッパー排出口のガイド）
４ａｂ  内周
４ａｃ  外周
４ａｄ  端面
４ｂ  内筒
４ｂａ  フランジ
４ｂｂ  内周
４ｂｃ  外周
５  回転手段、モータ
５ａ  ローター軸
６  受け部材
６ａ  排出口
６ｂ  開閉蓋
６ｃ  開閉手段
７  秤量器、ロードセルを備えた秤量器
８  インペラー装置
８ａ  インペラー取付面
８ｂ  真っ直ぐな構造体、コイル状ばね
８ｂ´  真っ直ぐな構造体、円柱棒材
８ｃ  土手
８ｄ  固定用芯
８ｅ  溶接
８ｆ  螺旋状溝
９  係止ナット（ばね状掻き混ぜ棒を水平に溶接して係止するナット）
１０  掻き棒
１１  シュート
１２  角度調節手段 
１２ａ  ボルト
１２ｂ  ナット
１２ｃ  ハンドル
１５  計数用ガイドばね
１６  減速機
１６ａ  第１の歯車
１６ｂ  第２の歯車
【要約】
【課題】  インスタント麺類用のかやく、フリーズドライ製品、特に、ワンタンや刻みのりなどの容易に破損する虞のある形状の複雑な具材を破損させることなく、ホッパから切り出し筒内の具材の流動をスムーズにする構造を備えた切り出し秤量装置を提供する。
【解決手段】  被秤量物２を収納するホッパ３の排出部３ａに連結された切り出し筒４と、切り出し筒から排出された被秤量物の受け部材６と、被秤量物を秤量する秤量器７と、切り出し筒４に設けられた互いに着脱自在の外筒４ａに外嵌され、外周面が外筒の内周面との摩擦によって共に連れて回転する内筒４ｂのホッパ３側の端部に嵌着させ、内筒と同軸で共に回転する具材取込み用のインペラー装置８とを備える切り出し秤量装置１において、インペラー装置のホッパ側に被秤量物を掻き混ぜる少なくとも１本の真っ直ぐな構造体８ｂと、切り出し筒内に設けた掻き棒１０を備える。
【選択図】図１【図１】
0005853260.tif 000002
【図２】
0005853260.tif 000003
【図３】
0005853260.tif 000004
【図４】
0005853260.tif 000005
【図５】
0005853260.tif 000006
【図６】
0005853260.tif 000007
【図７】
0005853260.tif 000008
【図８】
0005853260.tif 000009